(57)【要約】【課題】書籍等の印刷物から、印刷した文字情報や写真情報等以外の音声情報、動画情報等の付加情報を取りだすことができる複合印刷物を提供する。【解決手段】複数の文字・記号を含む印刷欄１２ａ〜１２ｄに対応させて、印刷欄に印刷されている印刷情報を補足する付加情報を取得するためのリンク情報を記録した光学的に読取可能な２次元情報からなる情報取得コード１１をとが印刷されている複合印刷物１０を提供し、情報取得コード１１として、個々の印刷欄に対応する個々の付加情報を取得する個別情報読取コードと、複数の付加情報を一括して取得する一括情報取得コード１１ｔ、１１ｃ１−ｃ３等を設けて、情報取得端末装置３０により情報取得コード１１からリンク情報を読み取ることにより、対応する付加情報を取得して、該情報取得端末装置に記憶する。【選択図】  図６
2019209584.tif 000002
【特許請求の範囲】
【請求項１】
各種情報が印刷された複数の印刷欄と、該印刷欄の各種情報を補足、補充、または補強する複数の付加情報を取得するために、前記各印刷欄と関連づけて印刷される光学的に読取可能な２次元コードからなる複数の情報取得コードと、を備える書籍、マニュアル、説明書その他の印刷物であって、
前記複数の情報取得コードは、それぞれ前記各印刷欄の近傍に印刷されて、前記各印刷欄に対応する前記各付加情報を取得するためのリンク情報を有しており、
前記情報取得コードとして、前記各印刷欄のそれぞれに対応する各付加情報を個別に取得する個別情報取得コードと、複数の前記付加情報をまとめて取得する一括情報取得コードとを備えることを特徴とする複合印刷物。
【請求項２】
前記一括情報取得コードは、同一の前記複合印刷物に付与されたすべての前記付加情報を一括して取得する全情報取得コードと、前記複合印刷物を複数の領域に分割して分割領域毎にすべての前記付加情報を一括して取得する分割情報取得コードとを備えることを特徴とする請求項１に記載の複合印刷物。
【請求項３】
前記複合印刷物は、介護マニュアル、営業研修用書籍、語学学習用書籍、実験手引き、スポーツその他の指導書籍、観光その他の案内書を含むことを特徴とする請求項１または２に記載の複合印刷物。
【請求項４】
請求項１から３のいずれか１項に記載の複合印刷物と、
プロセッサ、記憶部、外部通信網に接続可能な通信部を備えており、データの送受信機能、データ記憶機能、要求処理機能を有するサーバであって、前記付加情報を前記情報取得コードに記録されている前記リンク情報に対応づけて前記付加情報を記憶しており、要求された前記付加情報を提供する付加情報提供サーバと、
マイクロプロセッサ、記憶部、外部通信網に接続可能な通信部、画僧情報の取得機能、音声出力、画像情報の表示機能を含む出力部を備える情報処理装置であって、前記情報取得コードを読み取り、該情報取得コードに記録されているリンク情報に基づいて前記付加情報提供サーバへアクセスし、前記リンク情報に対応する前記付加情報を送信するように要求し、受信した該付加情報を前記出力部から出力する情報取得端末装置と、
を備えることを特徴とする付加情報提供システム。
【請求項５】
前記情報取得端末装置は、汎用のスマートフォン、タブレット端末その他のモバイル端末であって、前記情報取得コードを読み取ることができ、該情報取得コードに記録されているリンク情報に基づいて前記付加情報提供サーバへアクセスして前記リンク情報に対応する前記付加情報を取得し、取得した該付加情報を前記出力部から出力する機能を備えるモバイル制御ソフトをインストールしたことを特徴とする請求項４に記載の付加情報提供システム。
【請求項６】
前記情報取得端末装置は、前記付加情報提供サーバから受信した前記付加情報を、該情報取得端末装置内に記憶し、既に記憶している前記付加情報に対応する前記情報取得コードを読んだときには、前記付加情報提供サーバにはアクセスせずに、該情報取得端末装置内に記憶している前記付加情報を前記出力部から出力することを特徴とする請求項４又は５に記載の付加情報提供システム。
【請求項７】
前記情報取得端末装置は、前記全情報取得コードを読み出したときには、対応する前記複合印刷物に付帯するすべての前記付加情報を取得し、該取得した付加情報をそれぞれの付加情報に対応する前記リンク情報に関連付けて前記情報取得端末装置内に記憶することを特徴とする請求項４から６のいずれか１項に記載の付加情報提供システム。
【請求項８】
前記情報取得端末装置は、前記分割情報取得コードを読み出したときには、読み出した該分割領域に存在するすべての前記付加情報を取得して、該付加情報をそれぞれの付加情報に対応するリンク情報に関連づけて前記情報取得端末装置内に記憶することを特徴とする請求項４から７のいずれか１項に記載の付加情報提供システム。
【請求項９】
前記情報取得端末装置は、前記情報取得コードを読み出して対応する前記付加情報を取得したときに、該取得した付加情報を繰り返し出力することを指定できることを特徴とする請求項４から８のいずれか１項に記載の付加情報提供システム。
【請求項１０】
前記情報取得端末装置は、前記情報取得コードを読み出して対応する前記付加情報を取得したときに、音声または画像その他の個別の追加入力を受け付けて、該追加入力を対応する前記付加情報の追加情報として記憶することができる請求項４から９のいずれか１項に記載の付加情報提供システム。
【請求項１１】
前記情報取得端末装置は、前記付加情報に対応する前記追加情報を記憶している場合において、対応する前記付加情報の前記情報取得コードが読み出されたときには、前記付加情報に続けて前記追加情報も出力することを特徴とする請求項１０に記載の付加情報提供システム。
【請求項１２】
前記情報取得端末装置は、前記個別入力のみを繰り返し再生することができることを特徴とする請求項１０に記載の付加情報提供システム。
【請求項１３】
ＣＰＵと、記憶部と、撮像部と、表示部と音声出力部と、無線通信部と、前記ＣＰＵと協働して前記各部を備える情報取得端末装置にインストールされ、請求項１から３のいずれか１項に記載の複合印刷物に記録されている情報取得コードを読取り、該情報取得コードに対応する前記複合印刷物の付加情報を取得して、前記情報取得端末装置から出力する前記情報取得端末装置で実行される付加情報提供方法であって、
前記撮像部により前記複合印刷物に印刷された前記情報取得コードの画像データを取得して記憶する画像情報を取得する工程と、
取得した前記画像データを解析して、前記情報取得コードに記録されているコード情報を情報取得コード読取工程と、
前記コード情報に基づいて前記無線通信部を介してインターネットに接続されている付加情報提供サーバにアクセスして、該付加情報提供サーバに記憶されている付加情報を取得して前記記憶部に記憶するとともに、取得した前記付加情報を前記汎用モバイル装置の前記音声出力部または表示部から出力する付加情報取得工程と、
を備え、複合印刷物に印刷された情報取得コードに対応する付加情報を提供する付加情報提供方法。
【発明の詳細な説明】
【技術分野】
【０００１】
本発明は、文書や図表や写真などの各種情報を印刷した複数の印刷欄を有する書籍やパンフレットその他の印刷記録媒体の余白その他の空間に、光学的に読取可能な２次元コードを印刷することにより、各印刷欄に印刷された各種情報に対してさらに追加または補足する情報（付加情報）を提供することのできる複合印刷物、該複合印刷物に印刷されている２次元コードを読取り付加情報を取得して出力する情報取得端末装置、各複合印刷物に応じた種々の付加情報を記憶しており情報取得端末装置からの要求に応じて該情報取得端末装置に付加情報を提供する付加情報提供システム、及びこのような付加情報提供方法に関する。
【背景技術】
【０００２】
例えば、図１７に示すように、英語、フランス語、中国語等の言語学習参考書、その他の学習のための参考書や辞書、百科事典等の書籍には、その書籍に印刷されている内容を補充または補足するためにＣＤ等の記録媒体を付帯して販売されることが多くある。これらの記録媒体には、その書籍に印刷されている内容を補充または補足するため音声又は写真その他の情報などが電子データとして記録されている。
一方、特許文献１には、ＣＤ等を介さずに音声データを出力できるように、音声データを２次元コード化して印刷した書籍が開示されている。
【０００３】
また、特許文献２には、書籍等に印刷された文字等の可読情報以外に、２種類のバーコードパターンが印刷されており、このバーコードパターンを読み取ることにより、可読情報を補足する付加情報（文字情報）が提供される印刷物及び携帯端末が開示されている。さらに特許文献３には、書籍の各ページに２次元コードを印刷して、該２次元コードにより語学等の翻訳文字情報や音声情報を記録しておき、これを読取端末で読みとり音声情報等の補足情報を出力する技術が開示されている。加えて、特許文献４には、新聞の各記事（可読情報）に対応してバーコードを付し、バーコードを読むことにより、記事に関連するさらに詳しい情報を、音声または画像を併合したマルチメディアの形態で提供する技術が開示されている。
【先行技術文献】
【特許文献】
【０００４】
【特許文献１】特開平１１−２６７３７３
【特許文献２】特開平２００５−９２３０１
【特許文献３】特開平２００６−４８４７６
【特許文献４】特開平７−１１５４７４
【発明の概要】
【発明が解決しようとする課題】
【０００５】
しかし、書籍に付帯されているＣＤ等の記録媒体に記録された付加情報を利用するには、ＣＤ等読取装置またはパーソナルコンピュータ等を使ってＣＤ等の内容を読み出す必要があるため、利用場所や利用機器が制限される。そのため、これらの付加情報を記録したＣＤ等の補助教材は利用しにくく、非常に効果的な教材であるにもかかわらず、あまり有効に利用されていない。
一方、特許文献１に記載の書籍では、ＣＤ等の記録媒体は必要ではないものの、音声データを音声デジタルデータに変換したものを２次元コードにコード化して書籍に印刷するものである。そのため、２次元コード化して音声記録できる情報量には限界がある。また、２次元コードから特殊な音声デジタルデータを読取り、それをデコードして音声信号に変換して音声出力する専用の読取装置が必要となる。
【０００６】
特許文献２及び３は、書籍等の可読情報に対応づけて、付加補足情報を提供しようとするものであるが、特許文献１と同様にバーコードや２次元コードに文字情報や音声情報をコード化して記録するものであるため、コード化して記録できる付加情報の量には限界がある。例えば大量の付加情報が有用である語学学習や各種マニュアル等では、十分な補足情報を提供することができない。また、これらの技術では、２次元コード等を読み出す都度大量のデータをデコードし、音声等に再現する必要があるため、読取装置の負荷が大きく、デコード及び音声出力に時間がかかるという問題がある。
【０００７】
特許文献４では、新聞記事に対応する付加情報を格納するデータベースを備え、各新聞記事に対応して印刷されたバーコードを読み取ることにより、データベースにアクセスして付加情報を取得して表示する技術が開示されている。特許文献４の技術によると、付加情報をデータベースに格納することにより、大量の付加情報を提供することが可能となる。しかし特許文献４の技術は、付加情報の表示を希望するたびに、付加情報を記憶しているデータベースにアクセスして付加情報を取得するものであるため、付加情報の取得に比較的多くの時間がかかる。語学学習の書籍や各種マニュアルの場合、何度も同じ学習や訓練を繰り返すことにより各種スキルを習得する必要があることから、同じ付加情報を何度も繰り返し読出して利用することになる。その際、付加情報の取得に時間がかかるのは学習や訓練の効率に大きく影響し、学習意欲にも大きな悪影響を及ぼしかねない。また、同じ付加情報に対する繰り返しのアクセスは、データベース及び回線負荷が大きいため好ましく無い。
【０００８】
本発明は、第一義的には、上述のような語学関連書籍や辞書等の書籍にＣＤ等の記録媒体を付帯させて学習補助教材等の付加情報を提供する従来技術や、音声データを直接印刷して付加情報を提供する従来技術の問題点に鑑みてなされたものであるが、さらに進んで、語学関連書籍等だけでなく、各種のマニュアルやガイド等他各種の印刷物に、ＣＤ等のような記録媒体を用いることなく大量の付加情報を付帯させることができ、繰り返しの付加情報の利用に適した複合印刷物を提供することを目的とする。さらに、汎用のモバイル端末装置を用いて、いつでもどこでも付加情報を読み出して音声情報又は画像情報等出力することができる複合印刷物、情報取得端末装置、付加情報提供システム、及び付加情報提供方法を提供することを目的とする。
【課題を解決するための手段】
【０００９】
上記した目的を達成するために、本発明に係る複合印刷物は、各種情報が印刷された複数の印刷欄と、該印刷欄の各種情報を補足、補充、または補強する複数の付加情報を取得するために、前記各印刷欄と関連づけて印刷される光学的に読取可能な２次元コードからなる複数の情報取得コードと、を備える書籍、マニュアル、説明書その他の印刷物であって、
前記複数の情報取得コードは、それぞれ前記各印刷欄の近傍に印刷されて、前記各印刷欄に対応する前記各付加情報を取得するためのリンク情報を有しており、
前記情報取得コードとして、前記各印刷欄のそれぞれに対応する各付加情報を個別に取得する個別情報取得コードと、複数の前記付加情報をまとめて取得する一括情報取得コードとを備えることを特徴とする。
【００１０】
複合印刷物に個別情報取得コードと一括情報取得コードを付すにより、読者の所望により、一冊の書籍（複合印刷物）に印刷されている個々の印刷欄に対応する付加情報を１個ずつ取得することができるほか、一冊の書籍全体に付帯されている複数の付加情報の一度にまとめて一括して取得することができるように構成することも可能である。ここで付加情報を「一括して取得することができる」とは、各付加情報を順番に１個ずつ取得する場合も含む。
また、「付加情報」とは、印刷欄に印刷された情報を補足する情報、補強する情報、関連する情報等を含み、文字・記号・絵等の情報だけでなく、音声情報、写真等の静止画及び動画情報の各種を含んでいる。これらの付加情報は電子データとして記憶されており、要求に応じて取得することが可能である。
さらに、「リンク情報」とは、情報取得コードと付加情報とを結びつける情報であり、各情報取得コードと対応する付加情報に共通の同じＩＤ情報または識別情報（例えば識別番号）であっても良い
【００１１】
また、一括情報取得コードとしては、同一の前記複合印刷物に付与されたすべての前記付加情報を一括して取得する全情報取得コードと、前記複合印刷物を複数の領域に分割して分割領域毎にすべての前記付加情報を一括して取得する分割情報取得コードとを備えることができる。これにより、複数の付加情報を一つの情報取得コードの読取により、取得することが可能となる。
複合印刷物としては、前記複合印刷物は、介護マニュアル、営業研修用書籍、語学学習用書籍、実験手引き、スポーツその他の指導書籍、観光その他の案内書等のあらゆる書籍や本を対象とすることができ、例えば、地方自治体のゴミ出しスケジュール等が印刷された一枚の印刷物であっても良い。
【００１２】
本発明に係る付加情報提供システムは、
上述した複合印刷物のいずれか一つと、
プロセッサ、記憶部、外部通信網に接続可能な通信部を備えており、データの送受信機能、データ記憶機能、要求処理機能を有するサーバであって、前記付加情報を前記情報取得コードに記録されている前記リンク情報に対応づけて前記付加情報を記憶しており、要求された前記付加情報を提供する付加情報提供サーバと、
マイクロプロセッサ、記憶部、外部通信網に接続可能な通信部、画僧情報の取得機能、音声出力、画像情報の表示機能を含む出力部を備える情報処理装置であって、前記情報取得コードを読み取り、該情報取得コードに記録されているリンク情報に基づいて前記付加情報提供サーバへアクセスし、前記リンク情報に対応する前記付加情報を送信するように要求し、受信した該付加情報を前記出力部から出力する情報取得端末装置と、を備えることを特徴とする。
【００１３】
ここで情報取得端末装置は、前記情報取得コードを読み取ることができ、該情報取得コードに記録されているリンク情報に基づいて前記付加情報提供サーバへアクセスして前記リンク情報に対応する前記付加情報を取得し、取得した該付加情報を前記出力部から出力する機能を備えている。このような情報取得端末装置は、撮像装置を備える汎用のスマートフォンやタブレット端末のようなモバイル端末に、このような機能を付与する所定の制御プログラムをインストールすることにより、本発明の情報取得端末装置として利用することができる。モバイル制御プログラムは、サーバから自由にダウンロードできるように構成することが望ましい。
【００１４】
また、情報取得端末装置は、付加情報提供サーバから受信した前記付加情報を、該情報取得端末装置内に記憶し、既に記憶している前記付加情報に対応する前記情報取得コードを読んだときには、前記付加情報提供サーバにはアクセスせずに、該情報取得端末装置内に記憶している前記付加情報を前記出力部から出力するよう構成することが望ましい。これにより、情報取得コードに対応する付加情報が前記記憶部に記憶されているときには、サーバにアクセスすることなく付加情報を出力できるので、読者に所望の付加情報を迅速に提供することができる。また、付加情報提供サーバの負荷を大幅に軽減することができる。
【００１５】
さらに、前記情報取得端末装置の構成を、前記全情報取得コードを読み出したときには、対応する前記複合印刷物に付帯されているすべての前記付加情報を一括して取得し、該付加情報をそれぞれの付加情報に対応するリンク情報に関連付けて前記情報取得端末装置内に記憶するようにすることもできる。
また、前記情報取得端末装置は、前記分割情報取得コードを読み出したときには、読み出した該分割領域に存在するすべての前記付加情報を取得して、該付加情報をそれぞれの付加情報に対応するリンク情報に関連づけて前記情報取得端末装置内に記憶するよう構成しても良い。
【００１６】
さらに、情報取得端末装置を、前記情報取得コードを読み出して対応する前記付加情報を取得したときに、該取得した付加情報を繰り返し出力することを指定できるよう構成することもできる。また、情報取得コードを読み出して対応する前記付加情報を取得したときに、音声または画像その他の個別の追加入力を受け付けて、該入力に対応する前記付加情報の追加情報として記憶することができるよう構成しても良い。
その際に、前記情報取得端末装置を、前記付加情報に対応する前記追加情報を記憶している場合において、対応する前記付加情報の前記情報取得コードが読み出されたときには、前記付加情報に続けて前記追加情報も出力するよう構成しても、前記個別入力のみを繰り返し再生することができるよう構成してもよい。
【００１７】
本発明に係る付加情報提供方法は、ＣＰＵと、記憶部と、撮像部と、表示部と音声出力部と、無線通信部と、前記ＣＰＵと協働して前記各部を備える情報取得端末装置にインストールされ、請求項１から６のいずれか１項に記載の複合印刷物に記録されている情報取得コードを読取り、該情報取得コードに対応する前記複合印刷物の付加情報を取得して、前記情報取得端末装置から出力する前記情報取得端末装置で実行される付加情報提供方法であって、
前記撮像部により前記複合印刷物に印刷された前記情報取得コードの画像データを取得して記憶する画像情報を取得する工程と、
取得した前記画像データを解析して、前記情報取得コードに記録されているコード情報を情報取得コード読取工程と、
前記コード情報に基づいて前記無線通信部を介してインターネットに接続されている付加情報提供サーバにアクセスして、該付加情報提供サーバに記憶されている付加情報を取得して前記記憶部に記憶するとともに、取得した前記付加情報を前記汎用モバイル装置の前記音声出力部または表示部から出力する付加情報取得工程と、
を備え、複合印刷物に印刷された情報取得コードに対応する付加情報を提供することを特徴とするものである。
【発明の効果】
【００１８】
本発明の複合印刷物及びこれを用いた付加情報提供システムによれば、ＣＤ、ＰＣ等の記録媒体読取装置を用いることなく、スマートフォンやタブレット等の汎用のモバイル端末にモバイル制御プログラムをインストールした情報取得端末装置により、複合印刷物に印刷されている情報取得コードを読み取るだけで、どこからでも付加情報を取得して出力することができる。また、本発明の他の実施形態として、一度取得した付加情報は、情報取得端末装置に記憶するよう構成することにより、同じ一度付加情報についてはサーバにアクセスすることなく迅速に付加情報を出力することが可能となる。
【００１９】
従って本発明によれば、特殊な装置を必要とせずに、汎用のモバイル端末により場所や時間を問わず複合印刷媒体から付加情報を簡単に取り出すことができるため、付加情報を手軽に即時的に活用可能となり、付加情報のより積極的な活用が期待できる。さらに、本願発明では、音声、画像または動画を使った補足情報（付加情報）を何度でも繰り返しストレスなく簡単に利用することができるので、書籍に印刷された文字等の可読情報からなる印刷情報の理解をさらに深めることや実線的な訓練が可能となる。これにより、より効率的な学習や各種スキルの向上が可能となる。特に本複合印刷物を用いたマニュアルでは、実際の作業現場や活動現場において動画等の実践的な内容の濃い付加情報を汎用モバイル装置等により即座にかつ手軽に表示できる。従って、インフラ設備のマニュアルや、介護サービスのマニュアル等を本発明の複合印刷物とすることにより、今後人手不足が予想される業界において、少ない経験の人材に対して、実践的で正確な情報を伝えることが可能となり、極めて社会的有用性の高いものとなる。
【図面の簡単な説明】
【００２０】
【図１】本発明に係る複合印刷物の例として、介護マニュアルに本発明を適用した場合を示し、図１の（ａ）は、介護マニュアル全体を示す斜視図であり、（ｂ）は表紙を開いた状態の見開きページである表紙の裏側及び目次部分（ｂ）の印刷状態を例示する図。
【図２】図１に示す介護マニュアルの印刷欄を例示しており、（ａ）は第1章の開始部分の見開きページを例示し、（ｂ）は第５章の開始部分（ｂ）の見開きページを例示した図。一実施形態を示す図
【図３】本発明の複合印刷物の他の例として、英語教本に本発明を適用した場合の印刷欄の具体例を示す図。
【図４】本発明の情報取得コードに記録されるリンク情報の一例を概念的に示す図。
【図５】本発明の情報取得端末装置に記録される制御データの一例を示す図。
【図６】本発明の付加情報取得システムの一例の構成要素と機能の概略を説明する図。
【図７】情報取得端末に記録される制御データの具体例を示す図。
【図８】情報取得コードとして利用可能な視認性の低い２次元コードの構成例を示す概念図。
【図９】図８に示す２次元コードの基準ドット、情報ドットを説明する概念図。
【図１０】本発明に係る付加情報提供システムの全体構成例と、情報取得端末装置の一実施形態を示す機能ブロック図を示す概念図。
【図１１】本発明の一実施形態に係る情報取得端末装置のハードウェア構成の基本要素の一例を示す図
【図１２】本発明に係る情報取得端末による付加情報提供方法及び処理手順の一例を示すフローチャート。
【図１３】本発明に係る情報取得端末装置の処理手順の他の例を示すフローチャート。
【図１４】本発明に係る複合印刷物の他の実施例を示す図。
【図１５】本発明に係る複合印刷物のさらに他の実施例を示す図。
【図１６】情報取得コードとして使用可能な２次元コードの他の実施形態の構成を模式的に示す図。
【図１７】従来技術の書籍にＣＤ等を付帯させて販売する販売方法の商品イメージ図
【発明を実施するための形態】
【００２１】
以下、図面を参照しながら本発明に係る複合印刷物、情報取得端末装置、付加情報取得システム、付加情報取得方法について説明する。本発明は、書籍その他の印刷物に印刷されている印刷欄をさらに補足するため、音声・絵・静止画・動画・文字・記号等の各種情報からなる付加情報を付帯させて提供する複合印刷物、及びその付加情報を情報取得端末装置により取得して視聴可能とするものである。この付加情報は、書籍等の複合印刷物内に印刷されている各印刷欄に関連づけて提供される。
【００２２】
本発明においては、近時多くの人が使用しているスマートフォンやタブレット型端末その他の汎用のモバイル端末を情報取得端末装置として用いて、付加情報を容易に取得し視聴することができる。複合印刷物には、付加情報を取り出すための情報取得コードが印刷されている。情報取得コードは、各印刷欄に対応する付加情報を取り出して提供するトリガとなるものである。そのため、情報取得コードは、原則として、各印刷欄に１対１の関係で関連づけて印刷されている。以下本明細書において、「関連づけて印刷されている」または「対応づけて印刷されている」とは、付加情報を読み出すためのトリガとなる情報取得コードが、その付加情報と対応する印刷欄の位置と関連づけて（情報取得コードがその印刷欄に紐付されていることがわかる位置に）印刷されているという意味である。
【００２３】
情報取得コードとして、複数種類のコードを用意することができる。例えば、上述のように、各印刷欄と付加情報とを１対１の関係で紐付けされており対応する付加情報を一個ずつ取得する情報取得コード（個別情報取得コード）の他に、複数個の付加情報を一度に取得して、情報取得端末装置に記憶する機能を有する一括情報取得コードを設けることができる。また後者の一括情報取得コードとして、特定の複合印刷物に付帯するすべての付加情報を一度にダウンロードして記憶する「全情報取得コード」や、各複合印刷物が複数の領域に分割し、分割領域毎に各領域内に含まれる付加情報のすべてをサーバから取得して情報取得端末装置内に記憶する「分割情報取得コード」、当該ページ内の付加情報をすべて読み取り記憶する「頁情報取得コード」等の種々の機能を有する情報取得コードをに設けることができる。なお、情報取得コードはこれらの例に限定されるものではなく、これら以外の各種機能を有する情報取得コードを適宜設けることが可能である。
【００２４】
＜本発明にかかる複合印刷物の例示＞
図１を参照して、本発明の複合印刷物の一実施形態として、本発明を介護マニュアルに適用した例を説明する。図１（ａ）は介護マニュアル１０の表紙面１０ａを示す斜視図であり、図１（ｂ）は表紙を開いた状態の見開きページ１０ｂを示す模式図（平面図）である。図１に示す介護マニュアル１０は、２次元コードからなる情報取得コード１１ｘｘが表紙、表紙の裏側、及び各印刷欄に対応する各位置に複数印刷されている点が、通常の書籍と異なっている。
【００２５】
なお、以下の説明においては、情報取得コードは一部の例外を除き、原則として個々に異なる情報が記録されているので、個々の情報取得コードにはそれぞれ符号として「１１ｘ」または「１１ｘｘ」（ｘ部分は印刷位置に応じて適宜変更する）を付している。しかし、これらの情報取得コードを総称する場合には、単に「情報取得コード１１」と称する。複合印刷物内の複数の位置に印刷される各情報取得コード１１は、同一の複合印刷物においては、それぞれ同じ場所に同じ内容の情報取得コード１１が印刷される。
【００２６】
本発明では、情報取得端末装置により、この情報取得コード１１を読み出し、これに基づいて対応する付加情報を取得する。すなわち、情報取得コード１１として記録されているリンク情報をトリガにして、付加情報提供サーバに記憶されている対応する付加情報を取得して、取得した付加情報を情報取得端末装置内に記憶するとともに、出力するものである。
【００２７】
ここで情報取得コード１１は２次元コードが好ましいが、付加情報にアクセスするためのリンク情報を記億できる光学読取が可能なコードであれば良く、特に２次元コードに限定されない。リンク情報としては、例えば、個々の情報取得コード１１と対応する付加情報を特定するための両者に共通の固有のＩＤ情報（識別情報）とすることができる。２次元コードの例としては、例えばＱＲコード（登録商標）やデータマトリックス、MaxiCodeのような汎用の２次元コードだけでなく、独自の規格の２次元コードであっても良い。
【００２８】
図１（ａ）に示す介護マニュアル１０では、表紙の下側に、情報取得コード１１のうち、一括情報取得コードの一種である全情報取得コード１１ｔが印刷されている。全情報取得コード１１ｔは、当該複合印刷物（図１では介護マニュアル）に関する付加情報を記億している付加情報記憶サーバから、当該複合印刷物に関するすべての付加情報を一度にすべて取り出して、情報取得端末装置内に記憶するという機能を有する情報取得コード１１である。全情報取得コード１１ｔは、図１（ａ）に示すように表紙に印刷しても、図１（ｂ）に示すように、表紙の裏側に印刷しても良い。また、図示していないが裏表紙に印刷しても良く、全情報取得コード１１ｔを同一複合印刷物の複数個所に重複して印刷しても良い。
【００２９】
全情報取得コード１１ｔは、対応する複合印刷物のどこに印刷しても良いが、表紙、裏表紙、目次の上等のできるだけ全情報取得コード１１ｔであることがわかり易い位置に、印刷するのが好ましい。全情報取得コード１１ｔは、同一の複合印刷物においては固有の情報であり、どの場所にも同じ内容の全情報取得コード１１ｔが記録される。
【００３０】
図１（ｂ）に例示すように、表紙の裏側にも全情報取得コード１１ｔが印刷されており、さらに目次部分に、他の一括情報取得コードの一種である分割情報取得コード１１ｃ１〜ｃ３を印刷することもできる。図１（ｂ）では、目次部分に印刷されている分割情報取得コード１１ｃ１〜ｃ３は、目次の第１章と印刷されている箇所の左横の位置と、第５章と印刷されている箇所の左横の位置と、第９章と印刷されている左横の位置の３か所に印刷されている。
【００３１】
したがって、この例では、第１章の左横の分割情報取得コード１１ｃ１が読み取られた場合には、第１章から第４章に関連する付加情報のすべてが付加情報提供サーバから一括して読み出されて（付加情報が一つずつ順次読み出す場合も含む）、情報取得端末に記憶される。同様に分割情報取得コード１１ｃ２が読み取られた場合、第５章〜第８章に対応する付加情報のすべてが一括して読み出され、分割情報取得コード１１ｃ３が読み取られると第９章以降のすべての付加情報が一括して読み出されて、記憶される。図１（ｂ）の例では、介護マニュアル１０を３個に分割して、３個の分割情報取得コード１１ｃ１〜ｃ３を印刷しているが、介護マニュアル１０を各章ごとに分割して、分割情報取得コード１１ｃｘを、各章に関連づけて印刷しても良く、分割方法は任意である。
【００３２】
図２（ａ）、（ｂ）にそれぞれ、第１章の見開きページ１０ｃと、第５章の見開きページ１０ｄを例示している。図２（ａ），（ｂ）に示すように、目次に印刷されている分割情報コード１１ｃ１及び１１ｃ２と同じ分割情報取得コードが、第１章と第２章の最初のページの頭の部分に印刷されている。このように、目次と各分割領域の頭の部分の両方に印刷するのが好ましいが、いずれか一方にのみに印刷するように構成することもできる。
【００３３】
図２（ａ）と（ｂ）には、さらに第１章の見開きページ１０ｃに２個の個別情報取得コード１１ａ０１と１１ａ０２と、第５章の見開きページ１０ｄに２個の個別情報取得コード１１ａ５１と１１ａ５２とが印刷されている。個別情報取得コードは、それぞれの付加情報と１対１で対応しており、一つの個別情報取得コードを読み出すことによりで対応する一つの付加情報が提供される。各個別情報取得コード１１ａ０１、１１ａ０２、１１ａ５１、及び１１ａ５２は、それぞれ介護マニュアル１０の印刷欄１２ａ０１、１２ａ０２、１２ａ５１及び１２ａ５２に対応しており、それぞれの印刷欄の左横に印刷されている。
【００３４】
例えば、第１章の印刷欄１２ａ０１が食事介助の説明である場合に、対応する付加情報として、サーバには印刷欄１２ａ０１に応じた食事介助の動画が記憶されており、情報取得コード１１ａ０１を読み取ると、サーバから対応する付加情報が読み出されて、読取装置により視聴することが可能となる。同様に、第５章の印刷欄１２ａ５１が入浴時の介助の説明であるとすると、付加情報として、入浴時の介助方法を視覚的に補足する動画や注意事項が記憶されており、情報取得コード１１ａ５１を読み取ることにより、これらの付加情報を視聴することができる。
【００３５】
各情報取得端末装置は、いずれかの情報取得コード１１を一度でも読取りその情報取得コード１１に対応する付加情報を一度取得すると、その付加情報は消去の指示があるまで、対応する情報取得コードと紐付された状態で当該情報取得端末装置内に記憶される。
【００３６】
図３に、本発明の印刷物の他の実施形態として、英語教材（書籍）に本発明を適用した例を示す。  図３は英語教材の任意の１頁の印刷欄１０ｅを例示しており、左上部分に頁情報取得コード１１ｐｘｘが印刷されている。頁情報取得コード１１ｐｘｘは、これが印刷されているページに存在する情報取得コード１１に対応する付加情報を一度に読み出す、分割情報取得コードの一種である。頁情報取得コードの印刷は必須ではなく、必要に応じて適宜設けることができる。
【００３７】
図３に例示する英語教材においては、参考英文１２ａｘ１が印刷されており、それに対応してその左横に情報取得コード１１である個別情報取得コード１１ａｘ１が印刷されている。英文１２ａｘ１の下には、訳文１２ａｘ２が印刷され、その下には説明・応用例１２ａｘ３、及び類似の表現１２ａｘ４が印刷されている。これらの印刷欄に対応して、それぞれの印刷欄１２ａｘ２〜１２ａｘ４の左横に、個別情報取得コード１１ａｘ２〜１１ａｘ４が印刷されている。
【００３８】
英語教材においては、音声情報が重要な付加情報となる。例えば、個別情報取得コード１１ａｘ１に対応する付加情報は、教材に印刷されている参考英文１２ａｘ１を、英語を母国語とするネイティブが発音した音声情報が好ましい。しかし、音声情報だけでなく、会話している状態を示す動画情報であっても良い。また、発音練習をするための動画を含めても良い。図３の例では、印刷欄である「訳文１２ａｘ２」、「説明・応用例１２ａｘ３」に対応する個別情報取得コード１１ａｘ２、１１ａｘ３も印刷しているが、訳文、説明等について特に付加情報が無い場合には個別情報取得コードを印刷されない。
【００３９】
訳文や説明・応用例に対応する付加情報の例としては、写真等を付加して英語の意味を補足したい場合や、特別の語法や文法の説明を補足する場合等である。用語の意味をイメージで説明するための動画や絵、さらに説明や応用例を補足する文字情報若しくは写真等を付加情報としても良い。文字情報、音声情報、写真情報、動画情報、その他どのような種類の付加情報をつけるかは、書籍等の印刷物に応じて任意に決定することができる。
【００４０】
同じ印刷物（書籍等）には同じ位置に同じ情報取得コード１１が印刷される。前述した通り、所定の情報取得端末装置によって、各印刷物に印刷されている情報取得コード１１を一度でも読取り、サーバから対応する付加情報が読みだされると、読み出された付加情報は当該情報取得端末装置内に保持される。同時に、記憶した付加情報は情報取得コード１１に紐付されて既に当該情報取得端末装置に記憶しているということが当該情報取得端末装置内に記録される。したがって、各情報取得端末装置は印刷物の情報取得コード１１を読み取ると、対応する付加情報を当該情報取得端末装置内に既に記憶していないかどうかを確認して、既に記憶している付加情報についてはサーバにアクセスせずに、当該情報取得端末装置に記憶している付加情報を出力する。
【００４１】
すなわち、所定の情報取得端末装置において一度読みだしたことのある情報取得コード１１については対応する付加情報については記憶しているので、同じ情報取得端末装置で２回目以降に同じ情報取得コード１１を読み取った場合には、サーバにアクセスすることなく、当該情報取得端末装置内部に記憶している付加情報を出力することができる。例えば、一度全情報取得コード１１ｔ１を読取ると当該書籍に関する付加情報のすべてを記憶するため、当該情報取得端末装置により当該書籍に印刷されている情報取得コード１１のいずれを読み取っても、次回以降はサーバにアクセスすることなく、当該情報取得端末装置に記憶している付加情報を直接出力することが可能となる。
【００４２】
図４に、付加情報読出しコード１１により記録される情報（以下、「コード情報」と称する）を例示する。図４に示すコード情報は例示であり、図４に示すコード情報中のいずれかの情報を削除すること、または図４に記載されている情報以外の情報を追加することも任意である。印刷物の一例である書籍では、同じ本が数千部、数万部以上出版される。情報取得コード１１は、同一の印刷物（書籍）には、同じ内容のコード情報がすべて同じ位置に印刷される。
【００４３】
図４ではコード情報として、ＩＤ情報とアクセス制御情報とが記録される例を示している。アクセス制御情報としては、付加情報を取得するためのサーバに関する情報、サーバ内アクセス情報（付加情報の記憶アト゛レス等）、付加情報の種類（音声、動画、文字記号等）やデータ量、その他の情報を含むことができる。しかし、これらのアクセス制御情報をすべてコード情報として情報取得コード１１に記録する必要はない。例えば、コード情報としては、各情報取得コード１１に対応する個別のＩＤ情報だけを記録しておき、他の情報、例えばサーバへのアクセス情報や機能情報等は、情報取得端末装置内にインストールされる制御プログラム（以下「モバイル制御プログラム」と称する）内の制御情報として情報取得端末装置内に記憶するように構成することも可能である。また、サーバ内アクセス情報は、ＩＤ情報に紐付して、付加情報を記億しているサーバに直接記憶するようにしても良い。
【００４４】
サーバへのアクセス情報をモバイル制御プログラムに組み込み情報取得端末装置に記憶させることにより、印刷物の情報取得コード１１の内容を変更することなく、情報取得端末装置へインストールするモバイル制御プログラムの制御データを変更するだけで、付加情報を記億しているサーバを変更することや、サーバ内における付加情報の記憶位置や記憶内容を、変更することが可能となる。すなわち、既に販売済みまたは配布済みの印刷物の使用を妨げることなく、サーバを変更することや、サーバ内の記録位置や付加情報の種類や記録内容を変更できる。
【００４５】
図５に、読取端末にインストールされるモバイル制御プログラムと一緒に組み込まれて読取端末内に記憶される制御データの一例を示す。図５に示す例は、制御データの一部の例を示しており、これ以外にも制御に必要な各種データが記録される。ＩＤ情報は、付加情報取得コード１１のＩＤ情報と制御データとを紐付する情報（例えば識別番号）であり、付加情報取得コード１１を読んだときに、ＩＤ情報に基づいてモバイル制御プログラムに記憶している制御データ中から読み出した情報取得コードに対応する制御データが読み出される。モバイル制御プログラムは付加情報取得コード１１のＩＤ情報から、対応するサーバアクセス情報を入手して、付加情報を記億しているサーバにアクセスする。
【００４６】
付加情報を記億しているサーバは、情報取得端末装置からアクセスがあり付加情報が要求されると、情報取得端末装置からのアクセス情報に基づいて指定された付加情報を読み出して、要求のあった情報取得端末装置に送信する。この場合において、どの付加情報を読み出して情報取得端末装置に送信するかという制御情報を、ＩＤ情報に紐付してサーバ内に記憶しておくことにより、情報取得端末装置から受信したＩＤ情報に基づいて、対応する付加情報を順次読み出して、情報取得端末装置に送信するように構成しても良い。
情報取得端末装置は、サーバから受信した付加情報を記憶部に記憶した後、指定された出力部から順次出力する。
【００４７】
図６を参照して、本発明に係る付加情報提供システムの構成と動作の概略イメージを説明する。図６は、本発明の付加情報取得システムの各構成要素の機能の概略を説明する図である。本発明にかかる付加情報提供システムは、情報取得コード１１を印刷した印刷物と、情報取得コード１１を読み取る情報取得端末装置と、付加情報が記録されたサーバと備えている。印刷物に印刷されている情報取得コード１１には、ＩＤ情報が記録されている。ここでは、情報取得コード１１にはＩＤ情報のみが記載されているものとして説明する。なお、図６及び図７においては、情報取得端末装置を情報端末と記載する。
【００４８】
情報取得端末装置として特別な装置は必要ではなく、スマートフォンまたはタブレット端末のような汎用のモバイル装置に、モバイル制御プログラムをダウンロードしてインストールすることにより、本発明の情報取得端末装置として使用することが可能となる。付加情報は、所定のサーバに、印刷物毎にＩＤ情報に紐付されて記憶されている。また、全情報取得コード１１ｔや分割情報取得コード１１ｃ等、個別情報取得コード１１ａｘｘのように、各情報取得コード１１の種類に応じて読む出すべき付加情報の数や記憶位置が異なるが、このような情報取得コード１１の種類に応じた動作制御情報も、ＩＤ情報に紐付されてサーバ内に記録されている。
【００４９】
モバイル制御プログラムをインストールした情報取得端末装置により、図１〜３に例示するような印刷物に印刷された情報取得コード１１を読み取ると、情報取得コード１１に記録されているＩＤ情報が読み出される。情報取得端末装置はＩＤ情報を読み取ると、まず、そのＩＤ情報に対応する付加情報が当該情報取得端末装置内に記憶しているかどうかを確認する。当該付加情報が情報取得端末装置内に記憶されていない場合には、読み出したＩＤ情報に対応するサーバアクセス情報（図５参照）を情報取得端末装置内の制御情報から取得して、該アクセス情報に基づいて付加情報が記憶されているサーバへアクセスする。
【００５０】
サーバは情報取得端末装置からのアクセスがあると、情報取得端末装置から受信したＩＤ情報に割り当てられた動作機能を起動し、ＩＤ情報により要求されている付加情報を読み出して、要求のあった情報取得端末装置に送信する。サーバが受信したＩＤ情報が全情報取得コード１１ｔの制御情報である場合には、その印刷物に関するすべての付加情報が読み出して、読み出した付加情報を読出端末に順次送信する。読み出した情報取得コード１１が分割情報取得コード１１ｃであった場合には、当該ＩＤ情報に割り当てられた付加情報のみを順次読み出して、アクセスのあった情報取得端末装置に送信する。
【００５１】
情報取得端末装置は、サーバから付加情報を受け取ると、付加情報を所定の記憶部に記億し、各ＩＤ情報に割り当てられている個別機能に応じて、該当する付加情報を出力する（音声出力または文字、絵、画像、動画等を表示出力する）。例えば、個別情報取得コード１１ａｘｘのＩＤ情報の場合には、サーバから受け取った付加情報記憶と同時にすぐに出力し、全情報取得コード１１ｔの場合には、単に情報取得端末装置に付加情報を記億するだけで出力しないようにする等の動作処理が行われる。全情報取得コード１１ｔの場合には、最初の付加情報だけを出力するようにしても良い。または、サーバから受け取った付加情報を予め決めた所定の手順で、順次出力するようにしても良い。
【００５２】
上述の説明においては、まだ情報取得端末装置に付加情報が記憶されていない情報取得コード１１を読み取った場合の動作について説明した。次に既に、情報取得コード１１を読み出した情報取得端末装置内に、当該情報取得コードに対応する付加情報が既に記憶されている場合について、説明する。  例えば、特定の個別情報取得コード１１ａｘｘが、特定の情報取得端末装置から一度でも読み出されると、その個別情報取得コードに対応する付加情報は、当該情報取得端末装置内に記憶される。したがって、同じ情報取得端末装置を使用して、次回同じ個別情報取得コード１１ａｘｘが読み出された場合には、サーバへアクセスすることなく、情報取得端末装置に記憶している付加情報を直接出力する。
【００５３】
すなわち、サーバにアクセスするのは、まだその付加情報を初めて取得するときだけ、サーバにアクセスし、一度情報取得端末装置に記憶したら、サーバにアクセスする必要はない。その意味で（一度だけアクセスするという意味で）、図６に示す情報取得端末装置とサーバの間の矢印は破線で示している。
このような構成とすることにより、迅速に付加情報を出力することができ、またサーバへのアクセス付加を減少させることが可能となる。
【００５４】
例えば、当該情報取得端末装置により、全情報取得コード１１ｔが読み出された場合には、サーバから、その印刷物に関するすべての付加情報が読み出されて、当該情報取得端末装置に記憶される。したがって、一度全情報コード１１ｔを読み出すと、その印刷物に関しては、その後はどの情報取得コードを読み出しても、すべての付加情報が当該情報取得端末装置に記憶されているため、サーバにアクセスすることなく情報取得端末装置に記憶されている付加情報が出力される。全情報取得コードは１１ｔは一つの印刷物に関するすべての付加情報を一度に読み出して、記憶するものである。したがって、付加情報が多い場合や、動画が多い場合等には、ダウンロードに時間がかかることになる。そのような場合には、分割情報取得コードを利用して、適当な領域に分割して付加情報を読み出すことが好ましい。
【００５５】
図７は、情報取得端末装置に記録される制御データの具体的な例を示す。図７の例ではＩＤ情報、取得状況、サーバアクセス情報、情報取得端末装置内における付加情報の記憶アドレス等を示す情報取得端末装置内記憶情報、付加情報の種類等が記憶される例を示している。ＩＤ情報は、情報取得コード１１のＩＤ情報と１対１で紐付けされている。情報取得コードとＩＤ情報の対応関係をわかり易くするために、図７の表では、個々のＩＤ情報として図１〜３で情報取得コード１１の符号として使用した１１ｔ、１１ｃ１〜３、１１ａx１〜x４と同じものとして示している。
【００５６】
各ＩＤ情報に対して、そのＩＤ情報に対応する付加情報が既に情報取得端末装置に記憶されているかどうかを示す「取得状況」が記録されている。その情報取得端末装置内に、そのＩＤ情報に対応する付加情報がまだ記憶されていない場合には「×」、既に記憶されている場合には「○」が記録される。初期設定時（デフォルト状態では、付加情報は何も記憶されていないので、すべてのＩＤ情報に対して「×」が記録されている。図７に示す例では、個別情報読出情報である１１ａx１〜x３のみが「○」となっている。したがって、情報取得端末装置の付加情報の憶アドレスは、これらのＩＤ情報１１ａx１〜x３に対応する部分のみが記録されており、他のＩＤ情報対応の付加情報はまだ記憶されていないので、アドレスは記録されていない。
【００５７】
従って、情報取得コード１１からＩＤ情報が読み取られると、この制御データからＩＤ情報に対応する「取得状況」が確認される。「取得情報」が、「×」の場合は、サーバにアクセスして付加情報を取得して、情報取得端末装置に付加情報を記億するとともに、その記憶アドレスが記録される。取得情報が「○」の場合には、情報取得端末装置内記憶アドレスから、対応する付加情報が読み出されて、出力される。
【００５８】
なお、全情報取得コード１１ｔが読み出されると、その印刷物に関するすべての付加情報が付加情報提供サーバから読み出されて、情報取得端末装置内に記憶される。図７に示す例では、まだ一度も全情報取得コード１１ｔは読み出されておらず、従って図７の情報端末内記憶アドレスの欄にはなにも記載されていない。図７においては、個別情報取得コード１１ａｘ１−ａｘ３の取得状況が○となっているので、ＩＤ情報に対応する情報端末内記憶アドレスには、それぞれの付加情報を記憶している記憶アドレスが記録されている。したがって、この付加情報に対応する情報取得コード１１ａｘ１−ａｘ３を読み取ったときには、付加情報提供サーバへアクセスすることなく、付加情報を提供することができる。
なお図７に示されている情報端末内記憶アドレスは、単にアドレス領域が示されることを示すために例示しただけであり、付加情報の正確なデータ量やアドレス領域を反映しているものではない。
【００５９】
付加情報には音声データ又は動画等種々の種類があるので、例えば、１は音声データであり、２は文字記号データ、３は絵や写真等、４は動画等と決めておくことにより、付加情報の出力制御情報として利用可能である。サーバ内記憶アドレスは、付加情報がサーバのどこに記憶されているかを示すものである。この情報は、情報取得端末装置の制御情報としては必ずしも記録しておく必要はなく、ＩＤ情報に紐付してサーバに記憶しておいても良い。動作情報はＩＤ情報に応じて、動作制御をするための制御情報であり、それぞれの動作手順をａ、ｂ、ｃと決めておき、指定された動作手順に従って各種動作を実行する。例えば、動作情報ａは、個別情報取得コードを読み出したときの処理手順を指定する動作情報であり、この動作情報に基づき、サーバから一つの付加情報を読出して、その付加情報出力する手順が実行される。動作情報ｂは、分割された付加情報を処理する手順、ｃは印刷物全体の付加情報を取得して記憶する手順が指定されていることを示す。
【００６０】
＜情報取得コードの例示＞
上述の通り、情報取得コード１１は、サーバにアクセスして所定の付加情報を取得するために必要な所定の情報量を記録可能で光学読取が可能な２次元コードであれば特に限定されず、データマトリックス、MaxiCode、ＱＲコード（登録商標）等が使用することができ、図１〜３に例示したように、通常汎用の２次元コードが使用される。
しかし、汎用の情報取得コード１１を余白部分に印刷すると、情報取得コード１１が視覚に入り、印刷欄が読み難くなる。視覚上の邪魔にならない視認しにくい情報取得コードを印刷することにより、このような欠点を補うことができる。例えば、図２または図３における印刷欄１２ａｘｘ部分以外の余白部分に複数の見えない情報取得コード１１を印刷することにより、余白部分を読み取ることにより、情報取得コード１１を読み出すことが可能となる。
【００６１】
前述の通り、本発明の情報取得コードとしては、公知の種々の２次元コードを使用可能であるが、汎用のＱＲコード（登録商標）、データマトリックス、MaxiCode については２次元コードの構成が公知であるので、以下に、図８〜図９を用いて、視認し難い２次元コードの例について説明する。図８に示す２次元コード５１では、９×９個のマトリクス状に配置された微小な印刷ドット５７の組合せにより所望の情報を記録している。各微小な印刷ドット５７はそれぞれ３×３個のマトリクスに分割された９個の区割空間（以下「セル」と称する）のいずれかの位置に配置され、配置された位置に対応して微小な印刷ドット５７のデジタル値が決められる。個々の微小な印刷ドット５７は非常に小さく見え難いものであり、９×９個の微小な印刷ドット５７は十分間隔を空けて配置さるので、２次元コード５１は非常に視認し難いものとなる。このような見え難い２次元コードにも多数の種類があり、図８、９ではその一つを例示しているが、これに限らず、その他の種類の２次元コードであっても、光学的に読取可能であれば本発明に係る複合印刷物に印刷する情報取得コード１１として使用することができる。
【００６２】
図８に示す２次元コード５１では、３×３マトリクス状に区割した９個のセルのいずれか１つに、ほとんど目に見えない程度の微小な印刷ドット５７を配置している。３×３に区割したセルは全部で９個存在するので、論理的には１個の印刷ドット５７で９個の情報を表わすことが可能である。なお、図８では、各印刷ドット１７が３×３マトリクスの位置を明確にするために、３×３マトリクス（以下、「配置マトリクス」という」を実線で示している。しかし、このような線は配置マトリクスの線は実際には印刷されない。
以下、印刷ドットが３×３の配置マトリクスに区割されたセルのいずれかに配置されたものを、以下で説明するように、「基準ドット」または「情報ドット」と称する。
【００６３】
各印刷ドット５７が９個のセルのどのセルに配置されているかは、図８の２次元コード５１中に破線で示されている３本の基準線５５ａと５５ｂからの距離を測定することにより確定される。
基準線５５ａ及び５５ｂを規定するのが、図９の（ａ）、（ｆ）、（ｇ）に示す３種類に「基準ドット」５６ａ、５６ｃ、及び５６ｄである。印刷ドットが３×３のマトリクスの中心のセルに印刷されているのが基準ドット５６ａ、左中央のセルに印刷されている基準ドット５６ｃ、右中央に印刷されている基準ドット５６ｄである。基準線５６ａ、５６ｂは、これらの基準ドット５６ａ、５６ｃ、５６ｄにより構成されている（図８参照）。
【００６４】
次に情報を規定する印刷ドット５７について説明する。図８、９に示す実施例では、図９の（ｂ）〜（ｅ）に示すように、９個のセルの中の４隅のセルのいずれかに印刷ドット５７を印刷したものを、情報を表わす「情報ドット」と定義している。従って情報ドットとして使用する場合、１個の印刷ドット５７について４種の配置が可能であり、１個の情報ドット５６ｂで４つの情報、すなわち２ビットを表わすことができる。
【００６５】
図８に示す２次元コード５１では、３×３の配置マトリクス上のいずれかのセルに配置された印刷ドット５７が、９×９のマトリクス（以下、「ドットマトリクス」という）状に８１個配置されている。
９×９のドットマトリクスは、基準ドット５６ａ、５６ｃ、５６ｄにより規定される基準線５５ａ、５５ｂと、情報ドット５６ｂからなると合計８１個の印刷ドット５７により構成されており、基準線５５ａと５５ｂの交差により、９個の区画領域５３に分割されている(図８参照)。各区画領域５３の中には、４個の情報ビット５６ｂが存在している。従って、一つの区画領域５３により２ビット×４＝８ビットの情報を記録することができる。また、区画領域５３が９個あるので、２次元コード全体では、８ビット×９個＝７２ビットの情報を表わすことが可能である。
【００６６】
情報取得コードを印刷するインキの色は、ＣＭＹＫのいずれの色であってもかまわないが、文字または印刷する紙その他の印刷媒体の色とできるだけ離れた色（補色に近い色）であることが望ましい。図２及び図３に示す情報取得コード１１の印刷ドット１７の大きさを小さくすれば、白の用紙に黒色で印刷ドットを印刷した場合であっても、視認し難い情報取得コードとすることが可能である。しかし、印刷ドットを小さくすると、汎用のモバイル端末のカメラの解像度では、情報取得コードの読取が難しくなる。このような場合には、例えば、印刷用紙が白の場合には、印刷ドットを比較的大きくしつつ黄色で印刷すると、現在多く使用されている汎用モバイル端末の解像度であっても、視認し難い情報取得コードとすることが可能となる。しかし読取解像度を上げることにより、黒色の印刷ドットであっても読取可能となる。
【００６７】
＜情報取得端末装置及び付加情報提供システムの構成＞
図１０と図１１を用いて、本発明の一実施形態に係る情報取得端末装置３０の構成及び付加情報提供システムについて説明する。図１０は、本発明の一実施形態に係る情報取得端末装置３０の構成と、付加情報提供システムの一例を示す図であり、図１１は、モバイル制御部３７の構成の一例を示す図である。情報取得端末装置３０としては、例えば汎用のスマートフォン、タブレット型端末、携帯電話など、カメラ機能、音声出力機能、無線通信機能を有し、インターネットアクセス可能な情報取得端末装置が望ましい。
【００６８】
図１０，１１に示す情報取得端末装置３０の例では、撮像部３１、操作部３２、音声入出力部３２、表示部３４、データ記憶部３５、通信部４２、及びモバイル制御部３７を備えている。しかし、本発明の情報取得端末装置においては付加情報の種類や出力時の必要性に応じて、必要な構成要素を適宜追加または不要な構成を削減することができる。
【００６９】
撮像部３１は例えばＣＣＤ等の撮像素子等を備えるカメラ機能があればよく、操作部３２は、ボタンスイッチ、タッチプレート、その他のデータ入力機能があれば良い。音声入出力部３３は、基本的には音声からなる付加情報を出力できるものであれば良いが、マイク等の音声入力機能があれば、自分の発音を入力して記憶再生して自分の発音等を確認することが可能となるので、学習効果をより上げることが可能となる。表示部３４は操作に必要な表示が表示されれば基本機能としては足りるが、動画や静止画が表示できれば、付加情報として動画データ等があるときに再生して表示することが可能となる。データ記憶部３５は、サーバ等からダウンロードした付加情報や、入力した音声情報等を記憶する。
データ記憶部３５は、モバイル制御部３７の内部に設けても良い。通信部４２は、外部と無線通信できる機能及び外部中継器５１を介してインターネット５０に接続し、データの送受信ができる機能を有している。
【００７０】
モバイル制御部３７の構成要素として、入出力インターフェース３８と、動作制御部３９、画像情報取得部４０、コード読取部４１、付加情報取得部４２を例示している。入出力インターフェース３８を介して、情報取得端末装置３０内の入出力装置とモバイル制御部３７とがデータの入出力を行う。動作制御部３９は、情報取得コード１１を読取り、それに基づいて付加情報の取得、記憶及び出力するため、入出力機能を有する各部３１−３６の動作、及びモバイル制御部３７内の各部４０−４２の動作を制御する。
【００７１】
情報取得コード１１の読取においては、画像情報取得部４０は、動作制御部３９を介して、撮像部３１を駆動して情報取得コード１１を撮像してその画像情報を取得する。コード読取部４１は撮像部３１から取得した情報取得コード１１の画像データを解析して、情報取得コード１１に記録されている情報（ＩＤ情報）を読み取る。付加情報取得部４２は、情報取得コードから読み取ったＩＤ情報に基づいて、対応するサーバアクセス情報を取得し、通信部３６を介してインターネット５０を介して付加情報提供サーバ５２ａ、または５２ｂから付加情報を取得する。取得した付加情報は、データ記憶部３５に記憶される。なお、図１０に示すように、付加情報提供サーバは、１個であっても複数存在しても良い。
【００７２】
図１１に、モバイル制御部３７の機能を、ソフトウェア（モバイル制御プログラム）を用いて実行するための基本的な構成例を説明する。基本構成としてはＣＰＵ６０，ＲＯＭ６１、ＲＡＭ６２等がバス６３により接続されており、撮像機能やインターネットへアクセス可能な通信機能等を備えていることが必要である。モバイル端末装置に、モバイル制御プログラムがインストールされ、モバイル制御プログラムにより、情報取得コード１１の画像情報の取得、ＩＤ情報の読取り、付加情報を取得、付加情報の記憶、及び付加情報の出力等の各種動作が実行される。
【００７３】
ＣＰＵ６０は、マイクロプロセッサ―等により構成され、プログラムを実行する。ＲＯＭ６１は、ＣＰＵ６０の基本動作を実行するファームウェアやオペレーティングシステム（ＯＳ）を記憶している。ＲＡＭ６２は、ＣＰＵ６０の動作に必要なデータやＣＰＵで実行するプログラムを記憶する。ＣＰＵ６０で実行するためのデータやプログラムをキャッシュ記憶するキャッシュメモリーを別途設けても良い。
【００７４】
スマートフォン、タブレット端末等の汎用のモバイル端末は、一般的に、ＣＰＵ６０、ＲＯＭ６１、ＲＡＭ６２及び上記最低限の基本構成は備えているので、モバイル制御プログラム（ソフトウェア：情報取得端末装置にインストールすることにより付加情報を取得すための制御プログラム）をインストールすることにより、本発明の情報取得端末装置として使用することが可能となる。モバイル制御プログラムは、情報取得端末装置３０の各部を制御して、撮像部３１により情報取得コード１１の画像情報を取得して、情報取得コード１１の画像情報からＩＤ情報を読取り、読み取ったＩＤ情報に紐付けされている制御データを読み出す。ＩＤ情報に対応する制御データに基づいて、対応する付加情報の所在を確認して、付加情報を取得して、取得した付加情報を必要に応じて記億するとともに、情報取得端末装置３０の付加情報に対応する各出力部３３又は３４等から出力する。
【００７５】
モバイル制御プログラムは、図１０に示すようなインターネット５０上のダウンロードサーバー５５から、ダウンロードして情報取得端末装置３０にインストールできる構成とすることが好ましい。モバイル制御プログラムを、書籍等の印刷物にＣＤ等の記録媒体として付属して、ＰＣ等を介して情報取得端末装置にインストールすることも可能である。
【００７６】
＜付加情報取得方法及び取得処理手順＞
図１２を用いて、複合印刷物から付加情報を取得して、情報取得端末装置に出力する方法及び処理手順を説明する。
複合印刷物の所定の印刷欄に対応する付加情報の取得を希望する場合、まず情報取得端末装置３０の画像情報取得部４０の制御に基づいて、撮像部３１により複合印刷物１０ａ〜１０ｅに印刷されている所望の情報取得コード１１を撮像してその画像データを取得する（Ｓ１）。取得した画像データは情報取得端末装置３０内に記憶される。
【００７７】
次に、コード読取部４１により取得した情報取得コード１１の画像データを解析し、２次元コードとして記録されている記録情報（ＩＤ情報等）を読み取る（Ｓ２）。記録情報には、読み取った個々の情報取得コード１１に対応するＩＤ情報が記録されている。図４を参照して説明したように、この記録情報中に、対応する付加情報を取得するための情報、例えばサーバアドレス、サーバ内の情報取得コードに対応する付加情報が記録されているアドレス情報等が含めることもできる。しかし、情報取得コード１１の記録情報が多くすることは、読取時間やコード解析時間が長くなるのｄ、必ずしも好ましいとは言えない。以下の処理手順の説明においては、情報取得コード１１の記録情報としてはＩＤ情報のみが記録されているものとして説明する。記録情報としてＩＤ情報のみ記録されている場合には、付加情報提供サーバ５２へアクセスするために必要なアクセス情報等は、情報取得端末装置にインストールされているモバイル制御プログラム内の制御データの一部として記憶されている。
【００７８】
記録情報からＩＤ情報が読み出されると、付加情報取得部４２により、情報取得端末装置中に記憶されているＩＤ情報に対応する制御データが読みだされる（Ｓ３）。図５を用いて説明したように、制御データは個々のＩＤ情報に対応して、付加情報を取得するためのサーバへのアクセス情報その他の各種情報が記録されている。情報取得コード１１に対応するＩＤ情報がわかると、制御情報に基づいて、まずそのＩＤ情報に対応する付加情報が既に当該情報取得端末装置３０に記憶されているかどうかが確認される（Ｓ４）。
【００７９】
当該情報取得端末装置３０において、当該情報取得コード１１を今回初めて読み取ったのであれば、その情報取得コード１１に対応する付加情報はその情報取得端末装置３０にはまだ記憶されていない（Ｓ４：Ｎｏ）。この場合には、付加情報取得部４２は、通信部３６を制御して、ＷｉＦｉその他の中継器５１を介して、インターネット５０に接続し、付加情報提供サーバ５２にアクセスして（Ｓ５）、付加情報提供サーバ５２にＩＤ情報に対応する付加情報を送信するように要求する。
付加情報提供サーバには、各複合印刷物の各情報取得コード１１に対応するすべての付加情報が一つのサーバまたは複数のサーバに分散して記憶されており、情報取得端末装置３０からの要求に応じて指定されたＩＤ情報に対応する付加情報を要求のあった情報取得端末装置に送信する。
【００８０】
付加情報提供サーバ５２からの付加情報を受信すると受信した付加情報をＩＤ情報に紐付けして情報取得端末装置３０のデータ記憶部３５またはＲＡＭ６２に記憶する（Ｓ６）。次に、付加情報記憶済フラグをＯＮにして、当該ＩＤ情報に対応する付加情報を当該情報取得端末装置３０内に記憶していることを記録する（Ｓ７）。
【００８１】
次に、すべての付加情報の取得が完了したかどうかが確認される（Ｓ８）。個別情報取得コード１１ａｎｎの場合には、１個の情報取得コード１１に対して１個の付加情報であるので、１個の付加情報を取得すると付加情報の取得は完了する（Ｓ８；Ｙｅｓ）。
しかし、例えば、全情報取得コード１１ｔや分割情報取得コード１１ｃ１〜ｃ３のように複数の付加情報を一度に取得する場合、情報取得コード１１に対応する複数の付加情報を取得する必要がある。そのため、すべての付加情報が完了したかどうかが確認される（Ｓ８）。全情報取得コードや分割情報取得コードに関して、対応するすべての付加情報を取得したか否かを判定するための情報は、ＩＤ情報に対応する制御情報として記憶されている。
【００８２】
付加情報の取得が完了していない場合は（Ｓ８;Ｎｏ）、工程Ｓ６に戻り、サーバから次の付加情報を受信するのを待ち、次の付加情報を受信したらそれを情報取得端末装置内に記憶して（Ｓ６）、対応する付加情報記憶済フラグをオンにする（Ｓ７）。その後再度付加情報の取得が完了したかどうかが確認されて、完了していなければ（Ｓ８；Ｎｏ）同様の処理工程が繰り返される（Ｓ６，Ｓ７，Ｓ８）。
【００８３】
図１２の例では、付加情報提供サーバから情報取得端末装置３０に送信する付加情報が複数存在する場合の送信制御は、情報取得端末装置からＩＤ情報を送信して付加情報を要求すると、付加情報提供サーバ側が受信したＩＤ情報に応じて対応する複数の付加情報をすべて自動的に送信する構成を示している。しかし、情報取得端末装置３０で複数の付加情報を取得するよう制御することもできる。すなわち、付加情報の取得が完了していない場合には（Ｓ８；Ｙｅｓ）、一個の付加情報毎に情報取得端末装置３０から順次サーバにアクセスするように構成して（Ｓ５）、対応するすべての付加情報を取得するように構成することもできる。
【００８４】
情報取得コード１１に対応するすべての付加情報の取得が完了すると（Ｓ８：Ｙｅｓ）、付加情報を情報取得端末装置３０から出力するかどうかが確認される（Ｓ９）。個別情報取得コード１１ａｎｎの場合には付加情報をすぐに出力するので（Ｓ９；Ｙｅｓ）、音声出力、動画、静止画、文字情報等の付加情報の種類に応じて、音声出力部３３または表示部３４から付加情報が出力される（Ｓ１０）。
例えば、全情報取得コード１１ｔまたは分割情報取得コードの場合には、付加情報を取得して記憶するのみで出力はしないように構成することができる。この場合には付加情報の出力はされず（Ｓ９；Ｎｏ）、情報取得コード１１に基づく付加情報の取得工程は終了する。
全情報取得コード１１ｔまたは分割情報取得コードの場合でも、最初の付加情報のみを出力するように構成することも、前から順番に順次出力するように構成することもできる。
【００８５】
一つの付加情報の出力が終わると（Ｓ１０）、付加情報の繰返し出力を行うかどうかが確認される（Ｓ１０）、分割情報取得コードや全情報取得コードにおいて、複数の付加情報を所定の順番で順次出力する設定をしていた場合に対応するものである。また、個別情報取得コード１１ａｎｎの場合であっても、ＩＤ情報に対応する付加情報の出力に続き、順次付加情報を出力するように構成しても良い。付加情報の繰り返し出力がある場合には（Ｓ１１;Ｙｅｓ）、処理工程Ｓ４に戻り、次に出力するＩＤ情報に対応する付加情報の取得及び出力処理工程が繰り返される。
指定されたすべての付加情報の出力が終了すると（Ｓ１１；Ｎｏ）、付加情報の取得処理は終了する。
【００８６】
情報取得コード１１が当該端末により既に過去に読み出されたことがある場合には、対応する付加情報は当該情報取得端末装置に記憶されている。従って、読み取った情報取得コードのＩＤ情報に対応する付加情報が当該情報取得端末装置に記憶されている場合には（Ｓ４；Ｙｅｓ）、当該情報取得端末装置３０からＩＤ情報に対応する付加情報を読み出して出力する（Ｓ１３，Ｓ１０）。但し、全情報取得コード１１ｔ等により付加情報の出力を希望しない場合もある。この場合Ｓ１２；Ｎｏ）には、既にすべての付加情報は取得されているので、特に何もせずに、処理工程は終了する（Ｓ１２;Ｎｏ，Ｓ９；Ｎｏ）。
ＩＤ情報に対応するすべての付加情報を読み出して、ＩＤ情報に応じた所定の処理を終えると、情報取得コード１１による付加情報の取得処理工程は終了する。
【００８７】
付加情報の出力の終了により、付加情報取得表示の処理工程は終了しても良い。しかし、例えば学習教材等では、付加情報を繰り返し聴きたい又は見たい場合もある。そのため、図１３のフローチャートに示すような処理工程を設けることができる。図１３の例では、付加情報を出力した後（Ｓ９）、同じ付加情報を繰り返して出力するかどうかを希望するかを確認する（Ｓ２０）。ここで、繰り返しを希望する場合には（Ｓ２０：Ｙｅｓ）、同じ付加情報を再度出力するように（Ｓ９）構成することもできる。繰り返しを希望する場合には、図示していないが、例えば押しボタン等を押すことにより選択できるようにすることが望ましい。同一付加情報の繰り返し出力回数を設定することができるようにすることも、停止入力指示をするまで、出力を繰り返すような構成とすることも可能である。
【００８８】
同一付加情報についての繰り返しの出力を希望しない場合には（Ｓ２０：Ｎｏ）、それで処理を終了しても良いが、音声入力が可能な情報取得端末装置３０の場合には、図１３に示すように、発音練習等ができるような構成とすることもできる。例えば、付加情報の出力を停止した後に（Ｓ２０：Ｎｏ）、音声入力を希望するかどうかを確認し（Ｓ２１）、音声入力を希望しない場合には（Ｓ２１：Ｎｏ）、処理を終了する。音声入力を希望する場合には（Ｓ２１；Ｙｅｓ）、音声入出力部３３のマイク等から英語の発音等の音声を入力するとともに入力した音声データを情報取得端末装置３０内に記憶する（Ｓ２２）。
【００８９】
次に入力した音声の再生を希望するかどうかを確認し（Ｓ２３）、再生を希望する場合には（Ｓ２３：Ｙｅｓ）、入力音声の再生を行う（Ｓ２4）。入力音声の再生を希望しない場合には（Ｓ２３：Ｎｏ）、図１２等の通常の処理ルーチンに戻り（Ｓ１１）、処理を終了する。また、入力音声の再生後、さらに音声再入力を希望する場合には（Ｓ２５：Ｙｅｓ）、音声入力及び記憶を行い（Ｓ１２）、同様の処理を繰り返す（Ｓ２３-Ｓ２５）。音声の再入力を希望しない場合には（Ｓ２５：Ｎｏ）、図１２等の通常の処理ルーチンに戻り（Ｓ１１）処理を終了する。
【００９０】
また、本発明の他の実施形態では、付加情報が更新された場合に、一度サーバから読み出して記憶した付加情報を削除して、新しい付加情報と入れ替えるように構成することもできる。この機能を提供する場合、情報取得端末装置から特別の更新紹介を可能にする機能または付加情報提供サーバから更新情報を提供する機能を設けることが望ましい。さらに他の実施形態においては、全情報提供コード１１を読み込んだときでも、付加情報のダウンロードの量に応じて、一冊の書籍の付加情報を一度にダウンロードせずに、いくつかに分割して時間をずらして、アクセス量が少ない時間帯に少しずつダウンロードするように管理する構成とすることも可能である。その場合、付加情報のダウンロードの順番に優先順位を付すことも可能である。
【００９１】
＜複合印刷物の他の実施形態＞
図１４及び図１５を用いて、本発明に係る複合印刷物の他の実施形態を説明する。
図１４は本発明の他の実施形態に係る複合印刷物１０ｆを示す図である。図１４の複合印刷物１０ｆでは、情報取得コード２１ａ−２１ｅ、２１Ｇ１-，２１Ｇ２が丸い形状となっている。このように、情報取得コードの形状は四角形の形状に限らず、円形その他の形状としても良い。また、鳥や花のイラストを印刷してそれと重ねてまたはその近傍に、見えない（又は見え難い）情報取得コードを印刷しても良い。図１４の複合印刷物では、各英単語をグループに区分けし、各グループの付加情報を取得する分割情報取得コード２１Ｇ1、２１Ｇ２と、各単語（図１４では、Absent, Sure, Certain, Responsible, Plenty等）に対応する付加情報を取得する情報取得コード２１ａ−２１ｅが示されている。
【００９２】
図１５は、本発明の他の実施形態に係る複合印刷物１０ｇの例を示す図である。この複合印刷物では、１頁に同じ情報取得コード２１ｐxxが複数ページ全体に亘って印刷されている。このページの全面に同じ情報取得コード２１pxxが複数存在するため、どこにカメラをかざしても情報取得コード２１pxxを読み取ることができる。付加情報を取得することが可能となる。このような形態は、比較的初歩的な学習参考書において、付加情報が少ない場合に、１つの情報取得コードから一度に書籍すべての付加情報を取得できるようにする場合、または１頁分の付加情報を取得することができるようにする場合などに有効である。
【００９３】
図１５の実施形態のようにページ全面に情報取得コード２１pxxを印刷する場合、ＱＲコード（登録商標）等通常の２次元コードを印刷したら紙面に印刷されている文字情報等が見難くなるので、情報取得コードは見え難い情報取得コードで印刷することが望ましい。しかし、情報取得端末装置３０の場合には、専用の読取ペン等と比べると、撮像部の解像度が低いのであまり細かいドットで印刷すると情報取得コードの読取精度が悪くなる。そのような場合、白い用紙の場合には、黄色のインキ（Ｙ）で印刷ドットを印刷すると、印刷ドットの径を比較的大きくしても視認し難くなり、文字情報も読みやすい。一方、印刷ドットも大きいので、情報取得コードの読取精度も一定の精度を維持することができる。
【００９４】
＜情報取得コードの他の実施形態＞
上述した通り、情報取得コード１１は所定の情報を記録できる２次元コードであれば良いが、その例として、図１６に前述の図８，９で説明した構成とは異なる他の２次元コードからなる情報取得コード１００の実施形態を示す。図１６に示す情報取得コード１００には複数の微細な印刷ドット１０１が広い間隔をもって複数配置されている。図１６では印刷ドット１０１は、６×６＋２＝３８ドット配置されているが、これに限定されることなく、自由な数を設定可能である。中央部分の微細なドット１０３〜１０８は基準ドットであり、この基準ドットの位置を基準にして各情報ドットの情報を読み取る。なお、図１６では基準ドット１０３〜１０８には、３×３のマトリクスが実線で示されているが、実際はこのような実線は印刷されず、ドット１０３〜１０８のみが印刷される。
【００９５】
基準ドット１０３〜１０７は、３×３のマトリクスの位置の中央にドットが配置されており、これらが対角線上及び矩形状に所定の距離間隔で配置されている。この基準ドットの位置は、情報取得コード１００を読み取った画像データを解析することにより、認識することができる。
【００９６】
基準ドット以外の印刷ドットＳ１１〜Ｓ６６（Ｓ２２，Ｓ２５，Ｓ５２，Ｓ５５を除く）は、情報ビット（以下、「情報ドットＳ１１等と称する）である。情報ビットＳ１１等は、所定の規則を持って偏在している。情報ドットＳ１１等の表す“値”（デジタル値）は、基準ドット１０３〜１０８に対する位置及び／又は距離により、一定の“値”を示すように定められる。情報ドットの配置及び偏在についての条件・規則は一定の基準基づいて自由に設定することができ、例えば、以下のような基準に基づいて定めることができる。
（ｉ）１つの情報取得コードの表面積に対して埋め込む情報ドットの面積が、表面積の１／３０以下であること
（ii）各印刷ドット及び基準ドットは、それぞれ間隔を持って分散して配置する。
すなわち、この情報取得コード１００は、基準ドットの位置を基準にして複数の情報ドットを分散配置することにより、前記基準ドットからの位置及び／または距離に基づいてデジタル値を規定する２次元コードであって、複数の前記情報ドットの総面積が前記２次元コードの表面積に対して１／３０以下であり、かつ前記情報ドットは、所定の間隔を持って分散配置されることを特徴とするものである。
【符号の説明】
【００９７】
１０  複合印刷物
１０ａ〜ｇ  複合印刷物の各ページの印刷例
１１  情報取得コード（全体）
１１ａｘｘ、２１ａ−ｅ  個別情報取得コード
１１ｔ  全情報取得コード
１１ｃ１−ｃ３、  ２１Ｇ１、２１Ｇ２、分割情報取得コード
１２ａｘｘ，２２ａ−ｄ  印刷欄
３０  情報取得端末装置
３７  モバイル制御部
４０  画像情報取得部
４１  コード読取部
４２  付加情報取得部
４３  記憶部
５１  １００  ２次元コード（難視認性）の例示
５２ａ，ｂ  付加情報提供サーバ
５３  区画領域
５５  制御ソフト提供サーバ
５５ａ、５５ｂ  基準線
５６ａ、ｃ、ｄ  基準ドット
５６ｂ  情報ドット
５７  印刷ドット
９０  書籍
９２  記録媒体（ＣＤまたはＤＶＤ）
【図１】
2019209584.tif 000003
【図２】
2019209584.tif 000004
【図３】
2019209584.tif 000005
【図４】
2019209584.tif 000006
【図５】
2019209584.tif 000007
【図６】
2019209584.tif 000008
【図７】
2019209584.tif 000009
【図８】
2019209584.tif 000010
【図９】
2019209584.tif 000011
【図１０】
2019209584.tif 000012
【図１１】
2019209584.tif 000013
【図１２】
2019209584.tif 000014
【図１３】
2019209584.tif 000015
【図１４】
2019209584.tif 000016
【図１５】
2019209584.tif 000017
【図１６】
2019209584.tif 000018
【図１７】
2019209584.tif 000019